(57)【要約】【構成】設定時間において自動的に人間、動物、鳥、植物等の被写体６を撮影し、当該映像を自動的に電子メールと共に送信することができるカメラ付き携帯電話機１を、その建物内への侵入又は動き等の監視又は観察を必要とする場所に設置して、カメラ付き携帯電話機１にて自動的に被写体を撮影し、当該映像を自動的に電子メールと共に当該メールの管理を行うことができるメール管理サーバ２に送信し、メール管理サーバ２では、被写体６の監視又は観察を必要とする利用者３に当該映像を供給し、当該利用者は当該供給された映像から前記人間、動物、鳥、植物等の被写体の監視又は観察を行うことができるようにしてなるカメラ付き携帯電話機を利用した監視又は観察システム。【効果】カメラ付き携帯電話機によるので、その設置が簡単で、設備費が掛からないで監視システムを構築することができる。【選択図】　　　　図１
2004146998.tif 000002
【特許請求の範囲】
【請求項１】
設定時間において自動的に人間、動物、鳥、植物等の被写体を撮影し、当該映像を自動的に電子メールと共に送信することができるカメラ付き携帯電話機を、その建物内への侵入又は動き等の監視又は観察を必要とする場所に設置して、当該カメラ付き携帯電話機にて自動的に当該被写体を撮影し、当該映像を自動的に電子メールと共に当該メールの管理を行うことができるメール管理サーバに送信し、当該メール管理サーバでは、前記被写体の監視又は観察を必要とする利用者に当該映像を供給し、当該利用者は当該供給された映像から前記人間、動物、鳥、植物等の被写体の監視又は観察を行うことができるようにしてなることを特徴とするカメラ付き携帯電話機を利用した監視又は観察システム。
【請求項２】
設定時間において自動的に人間、動物、鳥、植物等の被写体を撮影し、当該映像を自動的に電子メールと共に送信することができるカメラ付き携帯電話機を、その建物内への侵入又は動き等の監視又は観察を必要とする場所に設置して、当該カメラ付き携帯電話機にて自動的に当該被写体を撮影し、当該映像を自動的に電子メールと共に前記被写体の監視又は観察を必要とする利用者に供給し、当該利用者は当該供給された映像から前記人間、動物、鳥、植物等の被写体の監視又は観察を行うことができるようにしてなることを特徴とするカメラ付き携帯電話機を利用した監視又は観察システム。
【発明の詳細な説明】
【０００１】
【発明の属する技術分野】
本発明は、カメラ付き携帯電話機を利用した監視又は観察システムに関し、特に、カメラ付き携帯電話機が自動的に撮影した人間、動物、鳥、植物等の被写体の映像を電子メールの添附ファイルとして自動的にメール管理サーバに送信し、更に、当該メール管理サーバでは、前記人間、動物、鳥、植物等の被写体の監視又は観察を必要とする利用者に、その映像を送って当該被写体の監視又は観察を行うことができるようにしてなるカメラ付き携帯電話機を利用した監視又は観察システムに関する。
【０００２】
【従来の技術】
従来、防犯を目的とした監視システムでは、監視カメラを監視場所に設置して、リアルタイムに又は適宜設定時間内に監視地域を撮影し、その映像を、離れた場所に送ってモニタすることが行われている。即ち、この場合の撮像手段は、監視カメラであり、ビデオカメラなどが使用されている。
ところで、近時、当該監視システムにも、携帯電話機が使用されるようになってきている。
しかしながら、当該携帯電話機を監視システムの構成装置の一つとして使用していても、当該携帯電話機は、あくまでも、通信手段として使用されるもので、監視カメラで映像を撮影し、当該携帯電話機を介して映像を遠隔地に送信したり、遠隔地から携帯電話機を操作してその信号により監視カメラを作動させる等の方法が取られ、当該携帯電話機は、一般的に、通信手段として使用されている。又、従来の監視システムでは、監視カメラの設置などに多大の費用を要し、設備費が高価に付くだけでなく、その設置に手間を要する等の欠点があった。
尚、携帯電話機を監視システムの構成装置の一つとして使用している特許の例としては、特開２００２−２７４３２号、特開２００１−２９２４４２号、特開２００２−１５２３４１号、特開２００２−５７８０８号、特開平１０−２２４７５号公報が挙げられるが、一般に、撮像手段は監視カメラで、又、携帯電話機は、通信手段として使用されている。
【０００３】
【発明が解決しようとする課題】
本発明は、かかる従来技術に鑑み、上記のような欠点が無い、新規の監視（観察なども含む。）システムを提供することを目的としたものである。
本発明の他の目的および新規な特徴は以下の明細書及び図面の記載からも明らかになるであろう。
【０００４】
【課題を達成するための手段】
本発明は、設定時間において自動的に人間、動物、鳥、植物等の被写体を撮影し、当該映像を自動的に電子メールと共に送信することができるカメラ付き携帯電話機を、その建物内への侵入又は動き等の監視又は観察を必要とする場所に設置して、当該カメラ付き携帯電話機にて自動的に当該被写体を撮影し、当該映像を自動的に電子メールと共に当該メールの管理を行うことができるメール管理サーバに送信し、当該メール管理サーバでは、前記被写体の監視又は観察を必要とする利用者に当該映像を供給し、当該利用者は当該供給された映像から前記人間、動物、鳥、植物等の被写体の監視又は観察を行うことができるようにしてなることを特徴とするカメラ付き携帯電話機を利用した監視又は観察システムに係わるものである。
又、本発明は、設定時間において自動的に人間、動物、鳥、植物等の被写体を撮影し、当該映像を自動的に電子メールと共に送信することができるカメラ付き携帯電話機を、その建物内への侵入又は動き等の監視又は観察を必要とする場所に設置して、当該カメラ付き携帯電話機にて自動的に当該被写体を撮影し、当該映像を自動的に電子メールと共に前記被写体の監視又は観察を必要とする利用者に供給し、当該利用者は当該供給された映像から前記人間、動物、鳥、植物等の被写体の監視又は観察を行うことができるようにしてなることを特徴とするカメラ付き携帯電話機を利用した監視又は観察システムに係わるものである。
【０００５】
【実施の最良の形態】
図面は、本発明の実施例を示し、図１は、本発明のシステムの一例全体構成図、図２は、本発明に使用される携帯電話機の一例構成図、図３は、本発明に使用される携帯電話機の操作の一例フロー図、図４は、メール管理サーバの一例ブロック図である。
【０００６】
【実施例】
図１に示すように、カメラ付き携帯電話機１とメール管理サーバ２と利用者３との間は通信網４により結線されている。
当該通信網４は、例えば、デジタル携帯電話網、インターネット網等により構成される。
メール管理サーバ２と利用者３との間を図示のように直接ＬＡＮ（ＬｏｃａｌＡｒｅａ　Ｎｅｔｗｏｒｋ）やＷＡＮ（Ｗｉｄｅ　Ａｒｅａ　Ｎｅｔｗｏｒｋ）５等で結んでもよい。
カメラ付き携帯電話機１を、監視又は観察を必要とする場所に設置する。例えば、建物の侵入口、窓等が例示される。又、家庭、動物園などで動物等の観察をしたい場合にはそれに応じた場所に設置すればよい。
カメラ付き携帯電話機１は、通常は、固定しておけばよい。盗難防止手段を講じておくとよい。アンテナを延長するなどの手段を講じておくとよい。図示が省略されているが、電池切れを防止する為に、接続コードを電源コネクタに接続しておくとよい。
カメラ付き携帯電話機１は、例えば、デジタルスチルカメラの機能を内蔵した携帯電話機で、当該デジタルスチルカメラは、例えば、電荷結合素子（ＣＣＤ）よりなる撮像素子により構成される。　当該電荷結合素子は、その写光を光電変換し電荷として蓄積し、この蓄積された信号電荷を、デジタル信号として出力する。
カメラ付き携帯電話機１は、電子メールの送信も可能で、当該撮影画像を、通常、添附ファイルとして送信することができるようになっている。所謂、写メール（登録商標）とかムービーメールなどと称されているシステムを使用できる。カメラ付き携帯電話機は、フラッシュを内蔵していてもよい。動画画像でもよい。
【０００７】
図２により、当該カメラ付き携帯電話機１の構成を更に説明する。
上記のように、被写体６を撮像手段のＣＣＤカメラ１００により撮影すると、当該デジタル信号が信号処理回路１０１に入力され、当該回路１０１で信号処理されて、ＣＰＵ（中央演算処理装置）１０２を経て、ドライバー１０３に出力され、表示パネル１０４にて撮影映像が表示されるようになっている。
本発明に使用されるカメラ付き携帯電話機１は、設定時間において自動的に人間、動物、鳥、植物等の被写体６を撮影し、当該映像を自動的に電子メールと共に送信することができるようになっている。
図２に示すように、当該携帯電話機１の記憶装置の一部であるＲＯＭ（Ｒｅａｄ　Ｏｎｌｙ　Ｍｅｍｏｒｙ）１０５には、制御プログラムの他に、自動撮影及び自動メール送信用のプログラムが記録されている。当該自動撮影及び自動メール送信用のプログラムは、例えば、Ｊａｖａ（登録商標）プログラムにより構成される。当該プログラムは、ダウンロードできるネットワーク対応型アプリケーションプログラムとすることができ、利用者（ユーザ）が、メール管理サーバ２などからダウンロードして入手することもできる。
当該カメラ付き携帯電話機１のアンテナ１０６からは、送受信信号が入出力され、画像信号や音声信号が送受信回路１０７に入出力され、データ処理回路１０８でクロック制御される。
該データ処理回路１０８は、ＣＰＵ１０２と接続され、又、ＤＳＰ（Ｄｉｇｉｔａｌ　Ｓｉｇｎａｌ　Ｐｒｏｃｅｓｓｏｒ、高速演算処理型マイクロプロセッサ）１０９と接続されている。アンテナ１０６により送受信回路１０７に受信された無線波は、データ処理回路１０８にて映像信号と音声信号に分離されて、ＣＰＵ１０２からの指令に基づいて各々クロック制御を受け、映像信号がＣＰＵ１０２に出力され、音声信号がＤＳＰ１０９に出力される。
当該ＤＳＰ１０９には、音声コーデック１１０が接続され、該音声コーデック１１０には、リンガ１１１、マイク１１２が接続され、又、変調送信回路１１３及び変調復調回路１１４を介してスピーカ１１５が接続されている。ＤＳＰ１０９に入力された音声信号は、音声処理後、音声コーデック１１０にてデジタル／アナログ（Ｄ／Ａ）変換され、変調送信回路１１３及び受信復調回路１１４を介してスピーカ１１５に出力され、又、リンガ１１１にてベルなどを鳴らす。
マイク１１２からの音声入力信号は、音声コーデック１１０にてアナログ／デジタル（Ａ／Ｄ）変換され、ＤＳＰ１０９、データ処理回路１０８及び送受信回路１０７を介してアンテナ１０６から発信される。ＣＰＵ１０２は全体制御を行う。ＲＡＭ１１６には、短縮ダイヤルなどのユーザが入力した各種データ類が記録されている。又、当該ＲＡＭ１１６には、撮影された画像が保存記憶される。キー・ダイヤル１１７は、操作キー等で構成されている。
【０００８】
図１に示すように、カメラ付き携帯電話機では、その設定された時間内において、自動的に人間、動物、鳥、植物等の被写体を撮影し、当該映像を自動的に電子メールと共に、メール送信サーバに送信する。
利用者が、操作キーを操作して、そのインストールされたアプリケーションプログラムを起動して、自動的に人間、動物、鳥、植物等の被写体を撮影し、当該映像を自動的に電子メールと共に、メール管理サーバに送信してもよいし、又、当該メール管理サーバからの命令信号に基づいてそのようにしてもよい。
【０００９】
図３に基づいて、当該自動撮影及び自動メール送信のフローチャートを説明するに、設定時間になったか否かが判断され（Ｓ０１）、設定の時間であれば、自動的に撮影を行うか否かを判断し（Ｓ０２）、設定時間で且つ撮影が必要な時には、撮影が行われ（Ｓ０３）、自動メールするか否かが判断され（Ｓ０４）、メール送信が設定されていれば、メール管理サーバ宛てに、電子メールと共に送信される（Ｓ０５）。
【００１０】
メール管理サーバでは、電子メールと共に送信されてきた各ユーザ毎の画像管理などの処理を行う。
当該処理装置２の一例を、図４に示す。
当該処理装置（メール管理サーバ）２は、図４に示すように、中央処理装置（ＣＰＵ）２００、入力装置２０１、記憶装置２０２、出力装置２０３、通信制御装置２０４を備え、更には、コントロール装置２０５と操作パネル２０６と表示装置２０７を備えてなる。
中央処理装置（ＣＰＵ）２００は、当該システム全体の操作・情報を制御する。
入力装置２０１は、本体へのデータの入力を行う。又、各種操作の選択を行う。本体に実装されるか、又は外部入力装置により操作され、リモートコントロール（リモコン）により操作することができる。操作入力は、テンキーやリモコンのような入力装置でも、又、表示画面に指で操作する形態でもよい。
記憶装置２０２は、例えば、ＲＯＭ（Ｒｅａｄ　Ｏｎｌｙ　Ｍｅｍｏｒｙ）とＲＡＭ（Ｒａｎｄｏｍ　Ａｃｓｅｓｓ　Ｍｅｍｏｒｙ）とで構成され、図１にも図示のように、データベース（ＤＢ）２０２０を備えているとよい。ＲＯＭは、操作コマンドに関するメニュー画面や本体プログラム等を格納する記録部である。ＲＡＭは、利用者が入力装置や表示装置から入力したパスワードなどを格納記録する。当該データベース（ＤＢ）２０２０は、メールアドレスなどを格納記録し、例えば、ハードディスクやＣＤーＲＯＭ等により構成される。
通信制御装置２０４は、通信インターフェース部（通信Ｉ／Ｆ部）を有してなり、通信モデム等により構成される。
コントロール装置２０５は、例えば、多数のカメラ付き携帯電話機からの送信等をコントロールする。
操作パネル２０６は、前記入力装置で代替えできるが、特に、表示装置へ表示される画像の操作に使用される。
表示装置２０７は、例えば、ＣＲＴや液晶ディスプレイ（ＬＥＤ）画面からなる。
【００１１】
図４に示すように、カメラ付き携帯電話機１では、指定時間において、被写体（周りの風景などを含む。）６を自動的に撮影する。当該カメラ付き携帯電話機１からは、電子メールと共に、当該撮影映像が、自動的に、当該処理装置２の通信制御装置２０４を介して受信される。当該自動撮影及び自動送信は、カメラ付き携帯電話機１のその旨の機能に元付き、処理装置２のＣＰＵ２００を通じた命令にて実施されるが、ユーザからの要望に基づいて、処理装置２のＣＰＵ２００を通じた命令にて実施される場合もある。
通信制御装置２０４で受信された当該監視又は観察画像は、コントロール装置２０５や操作パネル２０６を介して表示装置２０７に表示される。図示のように、指定時間内に自動撮影され自動送信されてきた複数の画像が、表示装置２０７の表示画面２０７０に時間の経過と共に表示される。
カメラ付き携帯電話機１から電子メールと共に送信されてきた監視又は観察画像は、一旦、データベース（ＤＢ）２０２０に記録し、その後上記のようにして適宜出力してもよい。
利用者には、当該システムへの接続に、ＩＤ（利用者識別符号）、パスワードなどの取得が必要とされる場合があり、当該データベース（ＤＢ）２０２０には、利用者のメールアドレス、ＩＤ（利用者識別符号）、パスワードなど記録されており、その照合がなされる。
当該処理装置２では、当該メールアドレスなどに基づき、利用者毎の管理がなされる。
【００１２】
当該画像は、図１に示すように、利用者（クライアント）３に、ＬＡＮやＷＡＮ５を介して、又は、インターネツト等の通信網４を介して送信される。
利用者３のコンピュータ３００は、その図示が省略されているが、上記処理装置２と同様に構成されていればよい。
利用者の表示装置３０００には、上記処理装置における表示装置２０７に表示されたものと同様の映像が映し出されるので、それに基づき、動物の動静の観察などが出来る。
【００１３】
図１に示すように、利用者の携帯電話機Ｐに、画像を送信してもよい。
当該携帯電話機Ｐへの送信は、利用者が移動中特に旅行中で家を留守にしているような場合に有効である。
当該利用者の携帯電話機は、前記カメラ付き携帯電話機と同様の構成であればよい。
【００１４】
本発明におけるカメラ付き携帯電話機には、ＰＨＳ（パーソナル・ハンディホン・システム、簡易型携帯電話機）をも包含する。
本発明は、携帯電話機の他に、自動車電話機、コードレス電話機、テレターミナル、ＭＣＡシステム、船舶電話等の無線通信機にも適用できる。
又、カメラ付き携帯電話機を内蔵したＰＤＡ（携帯情報端末）などにも適用できる。
本発明における被写体には、人物などの他、周りの風景等も含む。
【００１５】
【発明の効果】
本願において開示される発明のうち代表的なものによって得られる効果を簡単に説明すれば、下記のとおりである。
すなわち、本発明によれば、次のような利点がある。
本発明によれば、カメラ付き携帯電話機によるので、その設置が簡単で、設備費が掛からないで、監視システムを構築することができる。
【図面の簡単な説明】
【図１】図１は、本発明のシステムの一例全体構成図である。
【図２】図２は、本発明に使用される携帯電話機の一例構成図である。
【図３】図３は、本発明に使用される携帯電話機の操作の一例フロー図である。
【図４】図４は、本発明におけるメール管理サーバの一例ブロック図である。
【符号の説明】
１…カメラ付き携帯電話機
２…メール管理サーバ（処理装置）
３…利用者（パソコン）
４…通信網
５…ＬＡＮ（ＷＡＮ）
６…被写体
１００…ＣＣＤカメラ
１０１…信号処理回路
１０２…ＣＰＵ（中央演算処理装置）
１０３…ドライバー
１０４…表示パネル
１０５…ＲＯＭ
１０６…アンテナ
１０７…送受信回路
１０８…データ処理回路
１０９…ＤＳＰ
１１０…音声コーデック
１１１…リンガ
１１２…マイク
１１３…変調送信回路
１１４…受信復調回路
１１５…スピーカ
１１６…ＲＡＭ
１１７…キー・ダイヤル
２００…中央処理装置（ＣＰＵ）
２０１…入力装置
２０２…記憶装置
２０３…出力装置
２０４…通信制御装置
２０５…コントロール装置
２０６…操作パネル
２０７…表示装置
２０２０…データベース（ＤＢ）
３００…利用者３のコンピュータ
３０００…利用者の表示装置
【図１】
2004146998.tif 000003
【図２】
2004146998.tif 000004
【図３】
2004146998.tif 000005
【図４】
2004146998.tif 000006